(57)【要約】【課題】被覆付き電線を保持した状態において被覆付き電線がクランプ体に対して相対的に回転して捻じれるのを抑制する。【解決手段】被覆付き電線を取付け部品に取り付けた状態で保持するクランプ体が、環状の基部と、基部内に挿入された被覆付き電線を保持する保持部とを有する。保持部には、基部から基部の中心軸方向に延びた延出部が基部の周方向に沿って複数並べて設けられ、複数の延出部は、基部内に挿入された被覆付き電線を取り囲み、周方向において隣り合う延出部同士が互いに接触するように弾性変位可能な状態で基部から延出している。保持部は、延出部の先端部が備える第一面と、延出部の先端部が周方向において第一面とは異なる位置に備える第二面と、を有する。隣り合う延出部同士が互いに接した状態において、第一面は、被覆付き電線の外周面を押圧し、第二面は、第一面よりも径方向外側に位置する。【選択図】図１１
2020202117.tif 000002
【特許請求の範囲】
【請求項１】
コネクタに接続される被覆付き電線を、取付け部品に取り付けた状態で保持するクランプ体であって、
前記被覆付き電線が挿入される環状の基部と、前記基部内に挿入された前記被覆付き電線を保持する保持部と、を有し、
前記保持部には、前記基部から前記基部の中心軸方向に延びた複数の延出部が前記基部の周方向に沿って並べて設けられ、
複数の前記延出部は、前記基部内に挿入された前記被覆付き電線を取り囲み、前記周方向において隣り合う前記延出部同士が互いに接触するように弾性変位可能な状態で前記基部から延出し、
前記保持部は、前記延出部の先端部が備える第一面と、前記延出部の先端部が前記周方向において前記第一面とは異なる位置に備える第二面と、を有し、
前記周方向において隣り合う前記延出部同士が互いに接した状態において、前記第一面は、前記被覆付き電線の外周面を押圧し、前記第二面は、前記基部の径方向において前記第一面よりも外側に位置することを特徴とするクランプ体。
【請求項２】
複数の前記延出部の各々の先端部は、前記径方向における内側の端位置に前記第一面を備え、且つ、前記周方向において前記第一面とは異なる位置に前記第二面を有する請求項１に記載のクランプ体。
【請求項３】
複数の前記延出部の各々の先端部は、前記径方向の内側に向かって突出した突出部を有し、
前記突出部の前記径方向における内側の端面に、前記第一面と、前記第二面とが存在している請求項２に記載のクランプ体。
【請求項４】
前記突出部の前記径方向における内側の端部の一部分が切り欠かれており、
前記第二面は、前記突出部の前記径方向における内側の端部において、切り欠かれた部分に存在している請求項３に記載のクランプ体。
【請求項５】
前記突出部の前記径方向における内側の端部の角部分が切り欠かれており、
前記第二面は、前記突出部の前記径方向における内側の端部において、切り欠かれた前記角部分に存在している請求項４に記載のクランプ体。
【請求項６】
前記突出部の前記径方向における内側の端面には、前記第一面と前記第二面とを連結する連結面が更に存在しており、
前記周方向における前記第一面の長さは、前記周方向における前記第二面の長さと前記周方向における前記連結面の長さとの合計よりも長い請求項３〜５のいずれか一項に記載のクランプ体。
【請求項７】
前記径方向における前記連結面の長さは、前記周方向における前記第二面の長さ以上である請求項６に記載のクランプ体。
【請求項８】
各々の前記延出部の形状が同一である請求項３〜７のいずれか一項に記載のクランプ体。
【請求項９】
複数の前記延出部の各々の先端部は、前記径方向の内側に向かって突出した突出部を有し、
前記周方向において隣り合う前記延出部の間では、前記径方向における前記突出部の長さが異なっており、
前記周方向において隣り合う前記延出部のうち、前記径方向における前記突出部の長さがより長い前記延出部における、前記径方向における前記突出部の内側の端面が前記第一面であり、前記径方向における前記突出部の長さがより短い前記延出部における前記径方向における前記突出部の内側の端面が前記第二面である請求項１に記載のクランプ体。
【請求項１０】
複数の前記延出部は、前記周方向において隣り合う前記延出部同士が前記突出部の前記周方向における端面にて互いに接触するように弾性変位する請求項３〜９のいずれか一項に記載のクランプ体。
【請求項１１】
前記基部には、前記取付け部品に備えられた被嵌合部に嵌合可能な嵌合部が設けられている請求項１〜１０のいずれか一項に記載のクランプ体。
【請求項１２】
請求項１〜１１のいずれか一項に記載のクランプ体と、
前記コネクタと、
前記コネクタを内部に収容する前記取付け部品としてのケースと、
前記コネクタに接続された前記被覆付き電線を前記ケースの外に引き出すために前記ケースに設けられた電線引出部と、
前記クランプ体に嵌合して複数の前記延出部を弾性変位させ、且つ、前記電線引出部に組み付けられて前記クランプ体と前記電線引出部とを締結する締結部材と、を有するコネクタユニット。
【請求項１３】
前記締結部材は、グランドナットであり、
前記グランドナットのうち、前記電線引出部に組み付けられる部分の内周面は、前記電線引出部の外周面に形成されたネジ山と噛み合うネジ山が形成されたネジ山形成面を備えており、
前記グランドナットのうち、前記クランプ体に嵌合する部分の内周面は、前記ネジ山形成面から離れるほど前記グランドナットの内径が小さくなるテーパ面を備えており、
前記グランドナットが前記電線引出部に締め込まれた際に、前記テーパ面が複数の前記延出部の各々を前記径方向の内側に押圧して弾性変位させる請求項１２に記載のコネクタユニット。
【請求項１４】
前記径方向において前記被覆付き電線の外周面と前記電線引出部の内周面との隙間、及び、前記被覆付き電線の外周面と前記基部の内周面との隙間の両方に配置される筒状の防水部材を更に有する請求項１２又は１３に記載のコネクタユニット。
【請求項１５】
請求項１２〜１４のいずれか一項に記載のコネクタユニットと、前記被覆付き電線とを有する電線付きコネクタユニット。
【発明の詳細な説明】
【技術分野】
【０００１】
本発明は、クランプ体に係り、特に、コネクタに接続される被覆付き電線を、所定の部品に取り付けた状態で保持するクランプ体に関する。
また、本発明は、クランプ体を有するコネクタユニット及び電線付きコネクタユニットにも関する。
【背景技術】
【０００２】
コネクタに接続される被覆付き電線を所定の部品に取り付けた状態で保持するために、抜け止め用のクランプ体を用いることは既に知られている。クランプ体の一例としては、特許文献１に記載の抜け止め部材１００、及び、特許文献２に記載のケーブルクランプ２００が挙げられる。
【０００３】
抜け止め部材１００は、図３５に示すように、リング状部材１０１と、複数の柱部材１０２とを有する。柱部材１０２は、リング状部材１０１の周縁から垂直方向に向かって延び、柱部材１０２の先端近傍の内面側には、凸部１０３が設けられている。このような構造により、リング状部材１０１の内側に挿入されたケーブル１０４に対して凸部１０３が食い込み、ケーブル１０４の抜け止めを防止することができる。また、図３６に示すようにケーブル１０４を筒状のカバー本体１０５内に通した上でカバー本体１０５を不図示のコネクタ本体に嵌め合わせると、カバー本体１０５の内周面がケーブル挿入用の貫通孔に向かって狭まっているため、抜け止め部材１００の凸部１０３近傍が窄むように弾性変位し、凸部１０３がケーブル１０４に対して十分に食い込む。
【０００４】
ケーブルクランプ２００は、図３７に示すように円筒形状であり、その内側に挿入されたケーブルを保持する。より詳しく説明すると、ケーブルクランプ２００には、図３７に示すように、屈曲形状をなした複数の櫛羽２０１が設けられている。それぞれの櫛羽２０１の折れ曲がった部分は、ケーブルクランプ２００が不図示のクランプナットに嵌め込まれることで、クランプナットの内周面によってケーブル側に押される。櫛羽２０１の間にはスリットが形成されているので、クランプナットによって押されることで各櫛羽２０１が弾性変位し、櫛羽２０１の先端部に設けられた先端突起２０２がケーブルに食い込む。
【先行技術文献】
【特許文献】
【０００５】
【特許文献１】特開２００９−２５９４１９号公報
【特許文献２】特開２００８−１８６６７０号公報
【発明の概要】
【発明が解決しようとする課題】
【０００６】
しかしながら、特許文献１に記載された抜け止め部材１００では、柱部材１０２が図３５に示すように比較的細い形状をなしているために、抜け止め部材１００によって保持されたケーブル１０４に対して捻じる力が作用すると、柱部材１０２がケーブル１０４と共に回転して捻れてしまう虞がある。
【０００７】
また、特許文献２に記載されたケーブルクランプ２００では、複数の櫛羽２０１がクランプナットに押されて弾性変位したときに櫛羽２０１同士が密着し合う。この場合、ケーブルに対して捻じる力が作用したとしても、各櫛羽２０１の捻じれ変形は、その両脇に配置された櫛羽２０１によって規制される。しかし、上記のケーブルクランプ２００では、櫛羽２０１の先端突起２０２におけるケーブルとの接触面が平面であるため、ケーブルに対して捻じる力が作用すると、ケーブルがケーブルクランプ２００に対して相対的に回転する虞がある。この結果、ケーブルとコネクタとの接続部分に負荷が生じ、これに起因してケーブルが断線してしまう場合があり得る。
【０００８】
本発明は、上記従来技術の問題点を解決するためになされたものであり、被覆付き電線を保持した状態において被覆付き電線がクランプ体に対して相対的に回転して捻じれてしまうのを抑制することが可能なクランプ体を提供することを目的とする。
また、本発明は、上記クランプ体を備えるコネクタユニット、及び電線付きコネクタユニットを提供することも目的とする。
【課題を解決するための手段】
【０００９】
上記の目的を達成するために、本発明のクランプ体は、コネクタに接続される被覆付き電線を、取付け部品に取り付けた状態で保持するクランプ体であって、被覆付き電線が挿入される環状の基部と、基部内に挿入された被覆付き電線を保持する保持部と、を有し、保持部には、基部から基部の中心軸方向に延びた複数の延出部が基部の周方向に沿って並べて設けられ、複数の延出部は、基部内に挿入された被覆付き電線を取り囲み、周方向において隣り合う延出部同士が互いに接触するように弾性変位可能な状態で基部から延出し、保持部は、延出部の先端部が備える第一面と、延出部の先端部が周方向において第一面とは異なる位置に備える第二面と、を有し、周方向において隣り合う延出部同士が互いに接した状態において、第一面は、被覆付き電線の外周面を押圧し、第二面は、基部の径方向において第一面よりも外側に位置することを特徴とする。
【００１０】
また、本発明のクランプ体において、複数の延出部の各々の先端部は、径方向における内側の端位置に第一面を備え、且つ、周方向において第一面とは異なる位置に第二面を有することが好ましい。
【００１１】
また、本発明のクランプ体において、複数の延出部の各々の先端部は、径方向の内側に向かって突出した突出部を有し、突出部の径方向における内側の端面に、第一面と、第二面とが存在していることが好ましい。
【００１２】
また、本発明のクランプ体において、突出部の径方向における内側の端部の一部分が切り欠かれており、第二面は、突出部の径方向における内側の端部において、切り欠かれた部分に存在していることが好ましい。
【００１３】
また、本発明のクランプ体において、突出部の径方向における内側の端部の角部分が切り欠かれており、第二面は、突出部の径方向における内側の端部において、切り欠かれた角部分に存在していることが好ましい。
【００１４】
また、本発明のクランプ体において、突出部の径方向における内側の端面には、第一面と第二面とを連結する連結面が更に存在しており、周方向における第一面の長さは、周方向における第二面の長さと周方向における連結面の長さとの合計よりも長いことが好ましい。
【００１５】
また、本発明のクランプ体において、径方向における連結面の長さは、周方向における第二面の長さ以上であることが好ましい。
【００１６】
また、本発明のクランプ体において、各々の延出部の形状が同一であることが好ましい。
【００１７】
また、本発明のクランプ体において、複数の延出部の各々の先端部は、径方向の内側に向かって突出した突出部を有し、周方向において隣り合う延出部の間では、径方向における突出部の長さが異なっており、周方向において隣り合う延出部のうち、径方向における突出部の長さがより長い延出部における、径方向における突出部の内側の端面が第一面であり、径方向における突出部の長さがより短い延出部における径方向における突出部の内側の端面が第二面であってもよい。
【００１８】
また、本発明のクランプ体において、複数の延出部は、周方向において隣り合う延出部同士が突出部の周方向における端面にて互いに接触するように弾性変位することが好ましい。
【００１９】
また、本発明において、基部には、取付け部品に備えられた被嵌合部に嵌合可能な嵌合部が設けられていることが好ましい。
【００２０】
また、本発明のコネクタユニットは、以上までに説明したいずれかのクランプ体と、コネクタと、コネクタを内部に収容する取付け部品としてのケースと、コネクタに接続された被覆付き電線をケースの外に引き出すためにケースに設けられた電線引出部と、クランプ体に嵌合して複数の延出部を弾性変位させ、且つ、電線引出部に組み付けられてクランプ体と電線引出部とを締結する締結部材と、を有するものである。
【００２１】
また、本発明のコネクタユニットにおいて、締結部材は、グランドナットであり、グランドナットのうち、電線引出部に組み付けられる部分の内周面は、電線引出部の外周面に形成されたネジ山と噛み合うネジ山が形成されたネジ山形成面を備えており、グランドナットのうち、クランプ体に嵌合する部分の内周面は、ネジ山形成面から離れるほどグランドナットの内径が小さくなるテーパ面を備えており、グランドナットが電線引出部に締め込まれた際に、テーパ面が複数の延出部の各々を径方向の内側に押圧して弾性変位させることが好ましい。
【００２２】
また、本発明のコネクタユニットにおいて、径方向において被覆付き電線の外周面と電線引出部の内周面との隙間、及び、被覆付き電線の外周面と基部の内周面との隙間の両方に配置される筒状の防水部材を更に有することが好ましい。
【００２３】
また、本発明の電線付きコネクタユニットは、以上までに説明したいずれかのコネクタユニットと、被覆付き電線とを有するものである。
【発明の効果】
【００２４】
本発明によれば、クランプ体が被覆付き電線を保持した状態では、クランプ体の保持部が有する複数の延出部の各々が弾性変位し、周方向において隣り合う延出部同士が互いに接する。これにより、延出部自体がケーブルと共に捻じれてしまうのを抑制することができる。
また、少なくとも一部の延出部の先端部が径方向内側の端位置に備える第一面が、被覆付き電線の外周面を押圧し、少なくとも一部の延出部の先端部が周方向において第一面とは異なる位置に備える第二面が、第一面よりも径方向外側に位置する。つまり、互いに径方向における位置が異なる第一面と第二面とが存在していることで、周方向において第二面が位置する範囲には凹部が設けられる。そして、被覆付き電線の外周部分（すなわち、被覆部分）の一部が上記の凹部にはみ出す（入り込む）ことで、この凹部に入り込んだ部分が、被覆付き電線の、クランプ体に対する相対回転を規制する。これにより、被覆付き電線の捻じれ、及び、これに起因する断線を抑えることが可能となる。
【図面の簡単な説明】
【００２５】
【図１】本発明の電線付きコネクタユニットの分解機器図である。
【図２】本発明の電線付きコネクタユニットの、グランドナットが締め付けられる前の状態での平面図である。
【図３】本発明の電線付きコネクタユニットの、グランドナットが締め付けられる前の状態での側面図である。
【図４】本発明の電線付きコネクタユニットを、グランドナットの端面位置で切断した断面を示す図であり、グランドナットが締め付けられる前の状態を示している。
【図５】図２に示す電線付きコネクタユニットをＡ−Ａ断面から見た図である。
【図６】図４中の被覆付き電線周りの詳細図である。
【図７】本発明の電線付きコネクタユニットの、グランドナットが締め付けられた状態での平面図である。
【図８】本発明の電線付きコネクタユニットの、グランドナットが締め付けられた状態での側面図である。
【図９】本発明の電線付きコネクタユニットを、グランドナットの端面位置で切断した断面を示す図であり、グランドナットが締付けられた状態を示している。
【図１０】図７に示す電線付きコネクタユニットをＢ−Ｂ断面から見た図である。
【図１１】図９中の被覆付き電線周りの詳細図である。
【図１２】本発明の第一例に係るクランプ体の、変形前の斜視図である。
【図１３】本発明の第一例に係るクランプ体の、変形前の側面図である。
【図１４】本発明の第一例に係るクランプ体の、変形前の正面図である。
【図１５】本発明の第一例に係るクランプ体の、変形後の斜視図である。
【図１６】本発明の第一例に係るクランプ体の、変形後の側面図である。
【図１７】本発明の第一例に係るクランプ体の、変形後の正面図である。
【図１８】従来例のクランプ体がケーブルを保持している状態を示す図である。
【図１９】本発明の第二例に係るクランプ体の、変形前の斜視図である。
【図２０】本発明の第二例に係るクランプ体の、変形前の正面図である。
【図２１】本発明の第二例に係るクランプ体の、変形後の斜視図である。
【図２２】本発明の第二例に係るクランプ体の、変形後の正面図である。
【図２３】第二例に係るクランプ体が組み付けられた電線付きコネクタユニットを、グランドナットの端面位置で切断した断面を示す図であり、グランドナットが締め付けられる前の状態を示している。
【図２４】図２３中の被覆付き電線周りの詳細図である。
【図２５】第二例に係るクランプ体が組み付けられた電線付きコネクタユニットを、グランドナットの端面位置で切断した断面を示す図であり、グランドナットが締め付けられた状態を示している。
【図２６】図２５中の被覆付き電線周りの詳細図である。
【図２７】本発明の第三例に係るクランプ体の、変形前の斜視図である。
【図２８】本発明の第三例に係るクランプ体の、変形前の正面図である。
【図２９】本発明の第三例に係るクランプ体の、変形後の斜視図である。
【図３０】本発明の第三例に係るクランプ体の、変形後の正面図である。
【図３１】第三例に係るクランプ体が組み付けられた電線付きコネクタユニットを、グランドナットの端面位置で切断した断面を示す図であり、、グランドナットが締め付けられる前の状態を示している。
【図３２】図３１中の被覆付き電線周りの詳細図である。
【図３３】第三例に係るクランプ体が組み付けられた電線付きコネクタユニットを、グランドナットの端面位置で切断した断面を示す図であり、グランドナットが締め付けられた状態を示している。
【図３４】図３３中の被覆付き電線周りの詳細図である。
【図３５】クランプ体の従来例である抜け止め部材を示す図である。
【図３６】図３５に図示の抜け止め部材をケーブルに取り付けた状態を示す図である。
【図３７】クランプ体の従来例であるクランプナットを示す図である。
【発明を実施するための形態】
【００２６】
以下、本発明のクランプ体、コネクタユニット及び電線付きコネクタユニットについて、添付の図面に示す好適な実施形態を参照しながら説明する。
【００２７】
なお、以下に説明する実施形態は、本発明の理解を容易にするために挙げた一例にすぎず、本発明を限定するものではない。すなわち、本発明は、その趣旨を逸脱しない限りにおいて、以下に説明する実施形態から変更又は改良され得る。特に、本発明に用いられる各部材の材質及び設計寸法等については、本発明の用途及び本発明の実施時点での技術水準等に応じて自由に設定することができる。また、当然ながら、本発明には、その等価物が含まれる。
【００２８】
＜＜電線付きコネクタユニットの構成例について＞＞
本発明の電線付きコネクタユニット１０の第一例について、その構成を図１〜１１を参照しながら説明する。図１〜１１は、電線付きコネクタユニット１０の説明図である。図２〜６は、後述するグランドナット２４の締付前の状態を示す図であり、図７〜１１は、グランドナット２４の締付後の状態を示す図である。
【００２９】
また、図１〜１１の各図には、互いに直交する３つの方向としてＸ方向、Ｙ方向及びＺ方向が示されており、後述するケース１６から被覆付き電線１２が引き出される方向をＸ方向とする。また、Ｘ方向においてケース１６から離れる向きを＋Ｘ側とし、その反対向きを−Ｘ側とする。また、ケース１６の上下方向がＺ方向に該当し、ケース１６の上側を＋Ｚ側とし、ケース１６の下側を−Ｚ側とする。
なお、図４及び９は、グランドナット２４の＋Ｘ側端面と同一位置にある切断面（ＹＺ面）で切断したときの断面図であり、後出の図２３、２５、３１及び３３も同様である。
【００３０】
電線付きコネクタユニット１０は、モータ等の実装対象物への給電装置として用いられ、図１等に示された被覆付き電線１２と、被覆付き電線１２に接続されたコネクタ１４（図５及び１０参照）とを有する。コネクタ１４が実装対象物側に設けられた不図示の相手方コネクタに接続されると、不図示の電源から電力が被覆付き電線１２を通じて実装対象物本体に供給される。
【００３１】
電線付きコネクタユニット１０は、図１〜１１に示すように、被覆付き電線１２と、コネクタ１４と、コネクタを収容するケース１６と、図１に示す継手部品群１８とを組み合わせることで構成される。末端部がコネクタ１４に接続された被覆付き電線１２は、ケース１６の内部からケース１６の外に引き出され、その引き出された部分が、継手部品群１８によってケース１６に取り付けられる。
【００３２】
継手部品群１８は、図１に示すように、防水部材としてのブッシング２２、締結部材としてのグランドナット２４、及び、クランプ体としてのケーブルクランプ３０を含む。被覆付き電線１２をケース１６に取り付けるに際には、ケース１６の外へ引き出された被覆付き電線１２をブッシング２２内に挿通し、ブッシング２２の一部分（詳しくは、＋Ｘ側の略半分の部分）がケーブルクランプ３０内に嵌め込まれ、ケーブルクランプ３０が内部に嵌め込まれた状態のグランドナット２４がケース１６に組み付けられる。
【００３３】
また、図１〜１１に示す実施形態では、電線付きコネクタユニット１０が防水構造をなしている。すなわち、図５及び１０に示すように、コネクタ１４がケース１６によって覆われており、且つ、被覆付き電線１２が引き出されるケース１６の開口部分と被覆付き電線１２との間の隙間をブッシング２２によって封止している。これにより、水が上記の隙間からケース１６内に浸入するのを防止することができる。
【００３４】
電線付きコネクタユニット１０のうち、被覆付き電線１２を除く部分は、コネクタユニット２０に相当し、コネクタ１４、ケース１６及び継手部品群１８によって構成されている。
以下、電線付きコネクタユニット１０の各構成機器について説明する。
【００３５】
（ケース）
ケース１６は、コネクタ１４を収容する機器であり、被覆付き電線１２が取り付けられる取付け部品に相当し、図１〜５に示すようにケース本体６１、フランジ６２及び電線引出部６３を有する。ケース本体６１は、＋Ｚ側の端部が閉じられ且つ−Ｚ側の端部が開放された箱形状の部材であり、その内部には凹状のコネクタ収容部６４が形成されている。フランジ６２は、ケース本体６１の−Ｚ側端部の外周部から矩形状に張り出している。フランジ６２の四隅には固定孔が設けられており、それぞれの固定孔に通された固定ネジ６５によってケース１６が実装対象物に固定される。
【００３６】
また、図５及び１０に示すようにフランジ６２の−Ｚ方向を向いた面には、コネクタ収容部６４の周囲を囲うように閉じている封止材保持溝６６が形成されている。封止材保持溝６６にはゴム等の弾性体からなる封止材６７が弾性圧縮された状態で封入される。この状態でケース１６が固定ネジ６５で実装対象物に固定されることにより、フランジ６２と実装対象物の表面との間の隙間が封止されて防水性能が向上する。
【００３７】
電線引出部６３は、ケース本体６１の＋Ｘ側の側面から＋Ｘ側に突出した円環状の部分である。ケース本体６１の＋Ｘ側の側壁には、電線引出部６３の内側とコネクタ収容部６４とを連通させるために貫通孔６８が設けられている。コネクタ収容部６４内でコネクタ１４に接続された被覆付き電線１２は、電線引出部６３を通じてケース１６の外に引き出される。
なお、電線引出部６３は、ケース本体６１の＋Ｘ側の側面から＋Ｘ方向に向かって突出するものに限定されず、ケース本体６１の−Ｘ側の側面から−Ｘ側に向かって突出するものでもよい。
【００３８】
また、図５及び１０に示すように、電線引出部６３の内周面の、Ｘ方向の途中位置には段差が設けられており、その段差よりも−Ｘ側にある範囲の内径は、段差よりも＋Ｘ側にある範囲の内径に比べてより小さくなっている。
【００３９】
さらに、電線引出部６３の＋Ｘ側の端部には、＋Ｘ側に突出した嵌合突起６９が電線引出部６３の外周方向に沿って一定間隔で設けられている。さらにまた、図１等では図示を省略しているが、電線引出部６３の外周面の＋Ｘ側の端部には、ネジ山（厳密には、雄ネジ）が形成されている。
【００４０】
（コネクタ）
コネクタ１４は、Ｚ方向において、実装対象物に取り付けられた不図示の相手方コネクタに接続される。コネクタ１４は、図示しない端子と、この端子を保持する絶縁性材料からなるハウジング７１とを有する。ハウジング７１の下端部が相手方コネクタのハウジングに嵌合すると、コネクタ１４に備えられた端子と、相手方コネクタに備えられた端子とが電気的に接続する。
【００４１】
（被覆付き電線）
被覆付き電線１２は、例えばケーブル（ケーブルハーネス）によって構成されており、図６に示すように、個々に絶縁された複数の電線部７２と、電線部の７２を包囲する被覆部７３とを有する。複数の電線部７２の各々は、その末端部にて、コネクタ１４が有する端子に接続されている。被覆部７３は、弾性を有する絶縁材料からなり、円筒形状であり、その外径は、電線引出部６３の内径よりも小さい。
【００４２】
被覆付き電線１２のうち、コネクタ１４に接続されている端部は、図５及び１０に示すように、コネクタ１４と共にコネクタ収容部６４内に収容される。一方、被覆付き電線１２の大部分は、電線引出部６３からケース１６の外に引き出される。
【００４３】
なお、被覆付き電線１２は、電線部７２を複数有するケーブルに限定されるものではなく、例えば電線部７２に相当する部分を一つのみ有するコードであってもよい。
【００４４】
（ブッシング）
ブッシング２２は、可撓性を有するゴム製の円筒体であり、図５及び１０に示すように、ブッシング２２の内側に被覆付き電線１２が挿通された状態で電線引出部６３内に嵌め込まれる。より詳しく説明すると、電線引出部６３の内部空間のうち、Ｘ方向の途中位置に形成された段差よりも＋Ｘ側の範囲にブッシング２２が嵌め込まれる。これにより、電線引出部６３の内周面と被覆付き電線１２との間の隙間が封止されて、当該隙間での止水が図られる。
【００４５】
なお、ブッシング２２の外周面において−Ｘ側の端位置よりもやや＋Ｘ側に位置する領域には、ブッシング２２の外周面から若干隆起した隆起部分２３が設けられている。このような隆起部分２３が設けられることで、ブッシング２２と電線引出部６３の内周面との密着性が高められ、これにより、ブッシング２２による防水性能が好適に発揮されるようになる。
【００４６】
（グランドナット）
グランドナット２４は、筒形状の締結部品であり、グランドナット２４の内部にケーブルクランプ３０が嵌め込まれた状態でケース１６の電線引出部６３に組み付けられる（図２〜５、及び７〜１０参照）。これにより、ケーブルクランプ３０と電線引出部６３とがグランドナット２４によって締結される。
【００４７】
より詳しく説明すると、グランドナット２４のうち、後側（−Ｘ側）の端部は、電線引出部６３に組み付けられ、その部分の内周面は、ネジ山（雌ネジ）が形成されたネジ山形成面２５を備えている。つまり、ネジ山形成面２５が電線引出部６３の外周面と対向し、ネジ山形成面２５のネジ山が電線引出部６３側に形成されたネジ山と噛み合うことで、グランドナット２４の後端部（−Ｘ側の端部）が電線引出部６３に組み付けられる。なお、図示の都合上、図５及び１０では、ネジ山形成面２５のネジ山が省略されている。
【００４８】
また、グランドナット２４のうち、前側（＋Ｘ側）の端部は、その内側にケーブルクランプ３０が嵌合する部分であり、その部分の内周面は、＋Ｘ側に向かうほど（換言すると、ネジ山形成面２５から離れるほど）内径が漸次的に小さくなるテーパ面２６を備えている。テーパ面２６は、グランドナット２４内にケーブルクランプ３０が嵌め込まれた状態でグランドナット２４が電線引出部６３に締め込まれると、ケーブルクランプ３０の保持部３３に対向するようになる。これにより、保持部３３が有する複数の延出部３４がテーパ面２６から押圧されて弾性変位する。なお、テーパ面２６の前端（＋Ｘ側の端）におけるテーパ面２６の内径は、通常時（変形前の時点）におけるケーブルクランプ３０の外径より小さい。
【００４９】
（ケーブルクランプ）
ケーブルクランプ３０は、コネクタ１４に接続される被覆付き電線１２をケース１６に取り付けた状態で保持（クランプ）する円筒形状の弾性体であり、その内側には被覆付き電線１２が挿入される。本発明の第一例に係るケーブルクランプ３０は、被覆付き電線１２を保持する前の時点では図１２〜１４に示す外形形状を有し、被覆付き電線１２を保持する際には弾性変形して図１５〜１７に示す外形形状となる。図１２〜１７は、本発明の第一例に係るケーブルクランプ３０の説明図であり、各図には、図１〜１１と同様にＸ、Ｙ及びＺ方向が示されている。
【００５０】
ケーブルクランプ３０は、図１２〜１７に示すように、被覆付き電線１２が挿入される環状の基部３１と、基部３１内に挿入された被覆付き電線１２を保持する保持部３３と、を有する。保持部３３には、基部３１から基部３１の中心軸方向に延びた延出部３４が基部３１の周方向に沿って複数並べて配置されている。電線付きコネクタユニット１０では、基部３１の中心軸Ｃ０（図１２及び１４参照）がＸ方向に沿った状態でケーブルクランプ３０が配置される。このため、複数の延出部３４は、Ｘ方向に沿って延出している。
【００５１】
ここで、中心軸Ｃ０を中心とする円周方向は、基部３１の周方向に相当する方向であり、以下ではＲ方向と呼ぶこととする。また、以下では、図１４及び１７等に示すように、＋Ｘ側から見たときにＲ方向において時計回りの向きを＋Ｒ側とし、反時計回りの向きを−Ｒ側とする。また、以下の説明では、説明の便宜上、ケーブルクランプ３０における＋Ｘ側の端を先端と呼び、−Ｘ側の端を後端と呼ぶこととする。
【００５２】
基部３１の内径は、被覆付き電線１２の外径よりも若干大きく、且つ、ブッシング２２の外径よりも僅かに大きい。基部３１の外径は、ケース１６の電線引出部６３の外径と略等しく、且つ、グランドナット２４におけるネジ山形成面２５の内径よりも僅かに小さい。また、基部３１の全長（Ｘ方向における長さ）は、図５及び１０に示すようにブッシング２２の全長よりも短い。
【００５３】
また、基部３１の後端には、図１２及び１３等に示すように、等脚台形状に切り欠かれた嵌合凹部３２がＲ方向に沿って一定間隔で設けられている。それぞれの嵌合凹部３２には、ケース１６の電線引出部６３に設けられた嵌合突起６９の一つが嵌合可能である。ここで、嵌合凹部３２は、ケーブルクランプ３０に備えられる嵌合部に相当し、嵌合突起６９は、電線引出部６３に備えられる被嵌合部に相当するが、ケーブルクランプ３０に、嵌合突起６９に相当する凸部が備えられてもよく、その場合には、嵌合凹部３２に相当する凹部が電線引出部６３に設けられることになる。
【００５４】
保持部３３は、Ｒ方向に沿って一定間隔で円状に配置された複数の延出部３４を有する。保持部３３が有する延出部３４の個数については特に限定されず、２個以上であればよいが、好ましくは３〜６個であるとよく、より好ましくは６個であるとよい。
【００５５】
複数の延出部３４は、基部３１内に被覆付き電線１２が挿入された状態では、図６に示すように被覆付き電線１２を取り囲む。また、Ｒ方向において隣り合う延出部３４の間には、スリット状の隙間が設けられている。すなわち、複数の延出部３４の各々は、突出部３５の位置が径方向において変わるように弾性変位可能な状態で基部３１から延出している。そして、保持部３３は、被覆付き電線１２を保持する際、図１５〜１７に示すように窄むように変形する。
【００５６】
複数の延出部３４の各々は、互いに同一の形状をなしており、Ｒ方向に広がって幾分の幅（横幅）を有し、且つ、基部３１の厚みと同一の厚みを有する。ただし、これに限定されるものではなく、延出部３４の横幅及び厚みが延出部３４の間で異なっていてもよい。また、Ｒ方向において隙間を挟んで隣り合う２つの延出部３４は、隙間を介して互いに対向する一対の側面（Ｒ方向における端面）を有し、この一対の側面は、互いに沿った平面である。
【００５７】
また、図１２〜１７に示すように、各延出部３４は、図１２等に示すように、通常時（弾性変位前の時点）には中心軸Ｃ０に対して平行に延出している。なお、延出部３４は、中心軸Ｃ０に対して平行に延出しているものに限られず、中心軸Ｃ０に対して若干傾斜してもよく、あるいは、中心軸Ｃ０と交差する方向にも延出してもよい。
【００５８】
さらに、各延出部３４の先端部は、Ｌ字状に屈曲しており、基部３１の径方向（以下、単に「径方向」と言う）において内側に向かって突出した突出部３５を有する。突出部３５は、図１４等に示すように正面視で略扇形状であり、保持部３３が被覆付き電線１２を保持する際には、被覆付き電線１２の外周面（正確には、被覆部７３の外周面）に突出部３５の径方向内側端面にて当接して被覆部７３を押圧する。
なお、延出部３４の先端部の形状は、グランドナット２４を締め込んだ際にグランドナット２４の内周面のテーパ面２６によって押圧されて径方向内側に弾性変位する形状であれば、Ｌ字形以外の形状であってもよい。
【００５９】
本発明の第一例に係るケーブルクランプ３０では、図１２〜１７に示すように、各延出部３４において突出部３５の径方向内側の端部が部分的に切り欠かれている。より詳しく説明すると、突出部３５の径方向内側端部における角部分（厳密には、−Ｒ側の角部分）が略台形状に切り欠かれており、その分だけ径方向外側に凹んでいる。つまり、各延出部３４の突出部３５には、切り欠かれてないために突出長さがより長くなった長部領域３６と、切り欠かれた分だけ突出長さが短くなった短部領域３７と、が設けられている。
【００６０】
長部領域３６は、突出部３５のうちの大部分を占める領域である。また、長部領域３６が径方向内側の端位置に有する面は、第一面３８であり、ケーブルクランプ３０内に挿通された被覆付き電線１２の外表面に対向し、保持部３３が被覆付き電線１２を保持する際に被覆付き電線１２の外周面に当接して被覆部７３を押圧する。第一面３８は、ケーブルクランプ３０の外周面にフィットするようにＲ方向に沿って湾曲した湾曲面であることが好ましいが、これに限定されるものではなく、平坦面でもよい。
【００６１】
短部領域３７は、−Ｒ側で長部領域３６と隣り合い、径方向内側の端位置に第二面３９と連結面４０とを有する。第二面３９は、Ｒ方向において第一面３８とは異なる位置にあり、第一例ではＲ方向において最も−Ｒ側に位置している。また、第二面３９は、図１４に示すように、突出部３５の径方向内側端部において切り欠かれた部分（詳しくは、−Ｒ側の角部分）に存在しており、第一面３８よりも径方向外側にオフセットしている。なお、第二面３９は、Ｒ方向に沿って湾曲した湾曲面でもよく、若しくは平坦面でもよい。
【００６２】
連結面４０は、図１４に示すようにＲ方向において第一面３８と第二面３９との間に位置してこれらの面と連結し、第一面３８と第二面３９との間に段差を形成している。第一例において、連結面４０は、径方向外側に向かうほど−Ｒ側に向かうように傾斜した傾斜面であるが、これに限定されず、径方向に沿った面であってもよい。
【００６３】
また、第一面３８、第二面３９及び連結面４０の各々の、Ｒ方向における長さをｗ１、ｗ２及びｗ３とすると、下記の関係式（１）が成立している。
ｗ１＞ｗ２＋ｗ３        （１）
本実施形態では、上記の関係式（１）が成立することにより、突出部３５の角部分を切り欠いても突出部３５の強度を十分に確保することができる。
また、連結面４０の径方向の長さ（換言すると、第一面３８と第二面３９との間に設けられた段差の大きさ）をｈとすると、下記の関係式（２）が成立している。
ｈ≧ｗ２                （２）
なお、連結面４０の径方向の長さｈ、すなわち段差の大きさについては、過度に大きくなると、突出部３５（特に、長部領域３６）の強度が低下して変形してしまう虞があるため、上記の長さｈについては、第二面３９のＲ方向における長さｗ２と同程度であるのがよい。
【００６４】
＜＜電線付きコネクタユニットの組み立て手順＞＞
前述した構成（第一例）の電線付きコネクタユニット１０を組み立てる手順について説明する。
先ず、被覆付き電線１２の末端部をコネクタ１４に接続した後に、コネクタ１４をケース１６に収容し、ケース１６の電線引出部６３から被覆付き電線１２をケース１６の外側に引き出す。
【００６５】
ケース１６の外側に引き出された被覆付き電線１２は、図１に示すように筒形状であるブッシング２２の内側に挿通される。ブッシング２２は、その一部分が電線引出部６３の内側に嵌り込むことで電線引出部６３に取り付けられる。より詳しく説明すると、ブッシング２２は、図５に示すように、ブッシング２２の−Ｘ側端面が電線引出部６３の内周面に設けられた段差に突き当たる位置まで、電線引出部６３内に嵌入される。ブッシング２２の−Ｘ側端面が電線引出部６３の内周面上の段差に突き当たった状態では、Ｘ方向におけるブッシング２２の略半分の部分が電線引出部６３から＋Ｘ側にはみ出している。
【００６６】
ブッシング２２のうち、電線引出部６３から＋Ｘ側にはみ出た部分には、図１及び５に示すように、ケーブルクランプ３０が嵌め込まれる。ケーブルクランプ３０は、Ｘ方向において基部３１の後端（−Ｘ側の端）が電線引出部６３に突き当たる位置に配置される。このとき、基部３１の後端に形成された嵌合凹部３２に、電線引出部６３の＋Ｘ側端に設けられた嵌合突起６９が嵌合し、この結果、電線引出部６３に対するケーブルクランプ３０の回転（相対回転）が抑えられる。
【００６７】
ケーブルクランプ３０の取り付けが完了した時点で、径方向において被覆付き電線１２の外周面と電線引出部６３の内周面との間の隙間、及び、被覆付き電線１２の外周面とケーブルクランプ３０の基部３１の内周面との間の隙間には、ブッシング２２が介在し、これらの隙間が埋められる。その後にグラントナット６３が電線引出部６３に組み付けられて締め込まれると、防水構造が形成され、コネクタ収容部６４内への水の浸入を防ぐことができる。
【００６８】
なお、ケーブルクランプ３０の保持部３３に設けられた複数の延出部３４の各々は、Ｌ字状に屈曲した先端部を備えており、その先端部は、図５に示すように、ブッシング２２の＋Ｘ側の端部に宛がわれている。これにより、ブッシング２２の＋Ｘ側の端部が捲れてしまうのを抑えることが可能である。
【００６９】
ケーブルクランプ３０が所定位置に取り付けられた後には、グランドナット２４が電線引出部６３に組み付けられる。より詳しく説明すると、図５に示すように、グランドナット２４の内側にケーブルクランプ３０及び電線引出部６３が嵌め込まれる。これにより、グランドナット２４の内周面のうち、ネジ山形成面２５が径方向において電線引出部６３の外周面と対向し、ネジ山形成面２５に形成されたネジ山（雄ネジ）が電線引出部６３の外周面に設けられたネジ山（雌ネジ）と噛み合う。このとき、グランドナット２４は、Ｘ方向において図２及び３に示す位置にある。
【００７０】
上記の状態からグランドナット２４を締め込んで−Ｘ側に移動させると、グランドナット２４の内周面のうち、テーパ面２６がＸ方向においてケーブルクランプ３０の保持部３３と対向する位置に至り、保持部３３が備える複数（６個）の延出部３４の各々を略均一に径方向内側に押圧する。これにより、保持部３３は、径方向内側に窄むように（換言すると、Ｒ方向において隣り合う延出部３４同士が互いに接するように）変形し始める。なお、このとき、保持部３３の変形に伴って、ブッシング２２の＋Ｘ側端部も径方向内側に窄むように変形する（図１０参照）。
【００７１】
その後、グランドナット２４が更に締め込まれると、テーパ面２６における各延出部３４との接触箇所が径方向内側に変位するため、テーパ面２６から各延出部３４への押圧力が次第に大きくなり、それに伴って、保持部３３の変形量も徐々に増加する。そして、グランドナット２４がＸ方向において図７及び８に示す位置まで締め込まれると、保持部３３の変形により、図１１に示すように、Ｒ方向において隣り合う延出部３４同士が各々の突出部３５の側面にて接触する。これにより、各延出部３４がその両脇の延出部３４によって規制され、Ｒ方向における延出部３４の変位及び変形（具体的には、中心軸Ｃ０を中心とする螺旋状の捻じれ）を抑えることができる。この結果、各延出部３４の更なる弾性変位が止められ、ケーブルクランプ３０による被覆付き電線１２の過度な締め付けが抑えられる。
【００７２】
また、上記の状態では、各延出部３４の突出部３５における径方向内側端面のうち、第一面３８が、図１１に示すように径方向において、被覆付き電線１２（厳密には、被覆部７３）の外周面に当接して被覆部７３を押圧する。つまり、第一面３８が被覆部７３に押し付けられて突出部３５の長部領域３６が被覆部７３に食い込み、これにより、保持部３３が被覆付き電線１２を保持（クランプ）するようになる。
【００７３】
また、Ｒ方向に隣り合う延出部３４同士が各々の突出部３５の側面にて接触した状態では、各延出部３４の突出部３５における径方向内側端面のうち、第二面３９が第一面３８よりも径方向外側に位置している。つまり、各延出部３４の突出部３５の径方向内側端面には、Ｒ方向に沿って凹凸が形成されている。この凹凸により、被覆付き電線１２がケーブルクランプ３０に対して相対回転するのを効果的に抑えることができる。
【００７４】
より分かり易く説明すると、例えば、図１８に示すように突出部３５の径方向内側端面に凹凸が設けられていない場合、ケーブルクランプ３０の保持部３３が変形して窄んだ際に、各延出部３４の突出部３５の径方向内側端面は、被覆付き電線１２の外周面に沿って略円状に並ぶようになる。このような構成では、被覆付き電線１２の被覆部７３に突出部３５が食い込むことにより、Ｘ方向における被覆付き電線１２の移動を規制することができるものの、Ｒ方向における被覆付き電線１２の回転（すなわち、捻じれ）を規制することは難しい。
【００７５】
これに対して、本発明の第一例に係るケーブルクランプ３０を用いた場合、ケーブルクランプ３０の保持部３３が変形して窄んだ際に、被覆付き電線１２の被覆部７３のうち、突出部３５の第一面３８に押圧される部分が窪む一方で、その部分と隣接する位置に被覆部７３の余肉部分が移行して隆起する。この余肉部分は、図１１に示すように、各突出部３５の切り欠き部分、すなわち短部領域３７と対峙し、切り欠き内（つまり、第二面３９と連結面４０とがなす凹み空間内）に入り込む。この切り欠き内に入り込んだ余肉部分が被覆付き電線１２に対する回転規制として機能する。詳しく言うと、突出部３５における凹凸の段差面、すなわち連結面４０が被覆付き電線１２の回転を規制する。この結果、ケーブルクランプ３０によって保持された被覆付き電線１２が捻じれてケーブルクランプ３０に対して回転するのを効果的に抑えることができる。
なお、上記の切り欠きの大きさは、突出部３５の強度を確保しつつ、余肉部分がスムーズに入り込めるサイズであることが望ましく、その意味で、第一面３８、第二面３９及び連結面４０の各々の、Ｒ方向における長さが上述の関係式（１）を満たしつつ、適切な長さに設定されるのが望ましい。
【００７６】
グランドナット２４が締め込まれてケーブルクランプ３０とケース１６の電線引出部６３とが締結されると、電線付きコネクタユニット１０の組み立てが完了する。なお、完成した電線付きコネクタユニット１０は、ケース１６が実装対象物の表面に固定ネジ６５によって固定されることで、実装対象物の一部として組み込まれる。
【００７７】
＜＜その他の構成例＞＞
以上までに本発明のケーブルクランプ、コネクタユニット、及び電線付きコネクタユニットについて、具体的な実施形態（詳しくは第一例）を挙げて説明したが、上述の実施形態はあくまでも一例に過ぎず、本発明については他の実施形態が考えられ得る。
【００７８】
例えば、上述の実施形態（第一例）では、ケーブルクランプ３０の保持部３３が有する複数の延出部３４のすべてにおいて、延出部３４の突出部３５が切り欠かれており、突出部３５の径方向内側端面が第一面３８及び第二面３９の双方を備えていることとした。ただし、これに限定されるものではなく、少なくとも一つの延出部３４において突出部３５が切り欠かれ、その突出部３５の径方向内側端面に第一面３８及び第二面３９が備わっていればよい。すなわち、複数の延出部３４のうち、一部の延出部３４のみが切り欠かれた突出部３５を有し、残りの延出部３４の突出部３５が切り欠かれていなくてもよい。
【００７９】
また、上述の実施形態（第一例）では、突出部３５の角部分が切り欠かれていることとした。ただし、突出部３５における切り欠き箇所は、特に限定されず、任意の箇所であってもよく、例えば図１９〜２６に示すように、Ｒ方向における突出部３５の中央部が切り欠かれた実施形態（第二例）も考えられる。
【００８０】
図１９〜２２は、本発明の第二例に係るケーブルクランプ３０Ｓの説明図であり、図１９及び２０は、変形前の状態を、図２１及び２２は、変形後の状態を、それぞれ示している。図２３及び２５は、第二例に係るケーブルクランプ３０Ｓが組み付けられた電線付きコネクタユニット１０Ｓの正面図であり、図２３は、グランドナット２４が締め付けられる前の状態を、図２５は、グランドナット２４が締め付けられた後の状態を、それぞれ示している。図２４及び２６は、被覆付き電線１２周りの詳細図であり、図２４は、図２３の部分拡大図であり、図２６は、図２５の部分拡大図である。なお、第二例に用いられる機器及び部品のうち、第一例と共通するものについては、図１９〜２６において第一例と同じ符号を付して図示している。
【００８１】
第二例に係るケーブルクランプ３０Ｓを用いた場合であっても、第一例と同様に、突出部３５の切り欠き内に被覆付き電線１２の被覆部７３の余肉部分が入り込むことで、ケーブルクランプ３０Ｓに対する被覆付き電線１２の回転を効果的に抑えることができる。
【００８２】
また、上述の実施形態（第一例）では、各突出部３５を切り欠くことで各突出部３５の径方向内側端面に凹凸（換言すると、第一面３８及び第二面３９）の双方を設けることとした。ただし、これに限定されるものではなく、図２７〜３４に示すように、Ｒ方向において隣り合う延出部３４同士の間で、径方向における突出部の長さを異ならせることでＲ方向において凹凸を形成する実施形態（第三例）も考えられる。つまり、径方向長さがより長い長突出部３５Ａを有する延出部３４と、径方向長さがより短い短突出部３５Ｂを有する延出部３４とをＲ方向において交互に配置することにより、延出部３４間で凹凸が形成することができる。この場合、長突出部３５Ａの径方向内側端面が第一面３８に該当し、短突出部３５Ｂの径方向内側端面が第二面３９に該当する。
【００８３】
図２７〜３４は、本発明の第三例に係るケーブルクランプ３０Ｔの説明図であり、図２７及び２８は、変形前の状態を、図２９及び３０は、変形後の状態を、それぞれ示している。図３１及び３３は、第三例に係るケーブルクランプ３０Ｔが組み付けられた電線付きコネクタユニット１０Ｔの正面図であり、図３１は、グランドナット２４が締め付けられる前の状態を、図３３は、グランドナット２４が締め付けられた後の状態を、それぞれ示している。図３２及び３４は、被覆付き電線１２周りの詳細図であり、図３２は、図３１の部分拡大図であり、図３４は、図３３の部分拡大図である。なお、第三例に用いられる機器及び部品のうち、第一例と共通するものについては、図２７〜３４において第一例と同じ符号を付して図示している。
【００８４】
第三例に係るケーブルクランプ３０Ｔによって被覆付き電線１２を保持する場合、このケーブルクランプ３０Ｔの保持部３３が窄むように変形し、複数の延出部３４のうち、Ｒ方向において隣り合う延出部３４同士が接触する。このとき、一方の延出部３４は、長突出部３５Ａを有し、長突出部３５Ａは、その径方向内側端面である第一面３８にて被覆付き電線１２の外周面に当接し被覆付き電線１２の被覆部７３に食い込む。もう一方の延出部３４は、短突出部３５Ｂを有し、短突出部３５Ｂの径方向内側の端面である第二面３９は、第一面３８よりも径方向外側に位置する。つまり、第三例では、長突出部３５Ａが凸部をなし、長突出部３５Ａの間で短突出部３５Ｂが存する範囲には凹部が形成され、長突出部３５Ａが被覆部７３に食い込んだ際に被覆部７３の余肉部分が上記の凹部内に入り込む。これにより、第一例と同様に、ケーブルクランプ３０Ｔに対する被覆付き電線１２の回転を効果的に抑えることができる。
【００８５】
なお、延出部３４の間で凹凸を形成する構成としては、上述のように突出部の径方向における長さを延出部３４間で異ならせる構成以外にも考えられ、例えば、Ｘ方向における延出部３４の長さ（すなわち、軸長）を延出部３４間で異ならせる構成であってもよい。例えば、軸長が長い延出部３４と、軸長が短い延出部３４とをＲ方向において交互に配置することにより、延出部３４間で凹凸が形成することができる。かかる構成において、各延出部３４が突出部３５に相当する部分を備えていなくてもよく、各延出部３４の先端部が比較的真っ直ぐに延びていてもよい。この場合には、グランドナット２４を締め込んだ際に、軸長が長い延出部３４の先端部分が、径方向内側へ、被覆付き電線１２の被覆部７３に食い込む位置まで弾性変位するのに対し、軸長が短い延出部３４の先端部分が、軸長が長い延出部３４の先端部分よりも小さい変位量にて弾性変位する。つまり、上記の構成では、軸長が長い延出部３４の先端部分の、径方向内側を向く面が第一面に該当する。他方、軸長が短い延出部３４の先端部分の、径方向内側を向く面は、第二面に該当し、軸長が長い延出部３４の先端部分の、径方向内側を向く面（第一面）よりもＸ方向において基部３１に近い側に位置する。そして、上記の構成においても、グランドナット２４が締め込まれて、Ｒ方向において隣り合う延出部３４同士が接触すると、第二面が第一面よりも径方向外側に位置するようになる。
【符号の説明】
【００８６】
１０，１０Ｓ，１０Ｔ  電線付きコネクタユニット
１２  被覆付き電線
１４  コネクタ
１６  ケース（取付け部品）
１８  継手部品群
２０  コネクタユニット
２２  ブッシング（防水部材）
２３  隆起部分
２４  グランドナット（締結部材）
２５  ネジ山形成面
２６  テーパ面
３０，３０Ｓ，３０Ｔ  ケーブルクランプ（クランプ体）
３１  基部
３２  嵌合凹部（嵌合部）
３３  保持部
３４  延出部
３５  突出部
３５Ａ  長突出部
３５Ｂ  短突出部
３６  長部領域
３７  短部領域
３８  第一面
３９  第二面
４０  連結面
６１  ケース本体
６２  フランジ
６３  電線引出部
６４  コネクタ収容部
６５  固定ネジ
６６  封止材保持溝
６７  封止材
６８  貫通孔
６９  嵌合突起（被嵌合部）
７１  ハウジング
７２  電線部
７３  被覆部
１００  抜け止め部材
１０１  リング状部材
１０２  柱部材
１０３  凸部
１０４  ケーブル
１０５  カバー本体
２００  ケーブルクランプ
２０１  櫛羽
２０２  先端突起
Ｃ０  中心軸
【図１】
2020202117.tif 000003
【図２】
2020202117.tif 000004
【図３】
2020202117.tif 000005
【図４】
2020202117.tif 000006
【図５】
2020202117.tif 000007
【図６】
2020202117.tif 000008
【図７】
2020202117.tif 000009
【図８】
2020202117.tif 000010
【図９】
2020202117.tif 000011
【図１０】
2020202117.tif 000012
【図１１】
2020202117.tif 000013
【図１２】
2020202117.tif 000014
【図１３】
2020202117.tif 000015
【図１４】
2020202117.tif 000016
【図１５】
2020202117.tif 000017
【図１６】
2020202117.tif 000018
【図１７】
2020202117.tif 000019
【図１８】
2020202117.tif 000020
【図１９】
2020202117.tif 000021
【図２０】
2020202117.tif 000022
【図２１】
2020202117.tif 000023
【図２２】
2020202117.tif 000024
【図２３】
2020202117.tif 000025
【図２４】
2020202117.tif 000026
【図２５】
2020202117.tif 000027
【図２６】
2020202117.tif 000028
【図２７】
2020202117.tif 000029
【図２８】
2020202117.tif 000030
【図２９】
2020202117.tif 000031
【図３０】
2020202117.tif 000032
【図３１】
2020202117.tif 000033
【図３２】
2020202117.tif 000034
【図３３】
2020202117.tif 000035
【図３４】
2020202117.tif 000036
【図３５】
2020202117.tif 000037
【図３６】
2020202117.tif 000038
【図３７】
2020202117.tif 000039